【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
第１プログラムをインストールし第２プログラムをインストールしない第１インストール処理を、ユーザから受け付けられた第１インストール指示に応じて実行し、前記第１プログラム及び前記第２プログラムをインストールする第２インストール処理を、前記ユーザから受け付けられた第２インストール指示に応じて実行する端末装置のコンピュータに、
前記第１プログラムが前記第１インストール処理によって前記端末装置にインストールされたか、記第１プログラムが前記第２ンストール処理によって前記端末装置にインストールされたかを特定する特定ステップと、
前記第１プログラムが前記第１インストール処理によって前記端末装置にインストールされたと特定されたことに基づき、前記第１プログラムに関する所定の通知を実行せず、前記第１プログラムが前記第２インストール処理によって前記端末装置にインストールされたと特定されたことに基づき、前記所定の通知を実行する通知ステップを実行させることを特徴とするプログラム。
【請求項２】
前記第１プログラムが前記第２インストール処理によって前記端末装置にインストールされたと特定された場合、前記端末装置が起動してから少なくとも所定の時間が経過した後に、前記所定の通知が実行されることを特徴とする請求項１に記載のプログラム。
【請求項３】
前記第１プログラムが前記第２インストール処理によって前記端末装置にインストールされたと特定された場合、前記第１プログラムが前記端末装置にインストールされてから少なくとも特定の時間が経過した後に、前記所定の通知が実行されることを特徴とする請求項１又は２に記載のプログラム。
【請求項４】
前記第１プログラムが前記第２インストール処理によって前記端末装置にインストールされたとしても、前記第１プログラムに含まれる所定のモジュールがユーザ指示に基づいて起動したことがある場合には、前記所定の通知が実行されないことを特徴とする請求項１乃至３のいずれか１項に記載のプログラム。
【請求項５】
前記端末装置の外部の装置から、通知情報を取得する取得ステップをさらに有し、
前記所定の通知は、前記取得された前記通知情報に基づいて実行されることを特徴とする請求項１乃至４のいずれか１項に記載のプログラム。
【請求項６】
前記端末装置の外部の装置から、複数の前記通知情報が取得され、
前記取得された複数の前記通知情報のうち、少なくとも１つの前記通知情報が特定され、
前記所定の通知は、前記特定された少なくとも１つの前記通知情報に基づいて実行されることを特徴とする請求項５に記載のプログラム。
【請求項７】
前記取得された複数の前記通知情報には、前記第１インストール処理に対応する前記通知情報と、前記第２インストール処理に対応する前記通知情報と、が含まれ、
前記第１プログラムが前記第１インストール処理によって前記端末装置にインストールされた場合、前記第１インストール処理に対応する前記通知情報に基づく通知が実行され、前記第２インストール処理に対応する前記通知情報に基づく通知は実行されないことを特徴とする請求項６に記載のプログラム。
【請求項８】
前記第１プログラムが前記第１インストール処理によって前記端末装置にインストールされた場合、前記所定の通知が実行されないが、前記所定の通知と異なり且つ前記第１プログラムに関する特定の通知が実行され、
前記第１プログラムが前記第２インストール処理によって前記端末装置にインストールされた場合、前記所定の通知と前記特定の通知の両方が実行されることを特徴とする請求項１乃至７のいずれか１項に記載のプログラム。
【請求項９】
前記所定の通知は、前記第１プログラムの利用をユーザに促すための通知と前記第１プログラムが前記端末装置にインストールされていることをユーザに示すための通知のうち少なくとも一方を含み、
前記特定の通知は、前記第１プログラムが提供するサービスのキャンペーンに関する情報をユーザに示すための通知を含むことを特徴とする請求項１乃至８のいずれか１項に記載のプログラム。
【請求項１０】
前記第１インストール指示は、前記第１プログラムをインストールするための第１インストーラによって表示される画面を介して受け付けられ、
前記第２インストール指示は、前記第１プログラム及び前記第２プログラムをインストールするための第２インストーラによって表示される画面を介して受け付けられることを特徴とする請求項１乃至９のいずれか１項に記載のプログラム。
【請求項１１】
前記第２インストーラによって表示される画面を介して、前記第１プログラムをインストールするか否かに関する入力が受け付けられ、
前記第２インストーラによって表示される画面を介して、前記第１プログラムをインストールするための入力が行われ、且つ前記第２インストール指示が受け付けられた場合、前記第２インストール処理が実行され、
前記第２インストーラによって表示される画面を介して、前記第１プログラムをインストールしないための入力が行われ、且つ前記第２インストール指示が受け付けられた場合、前記第２プログラムをインストールし前記第１プログラムをインストールしない第３インストール処理が実行されることを特徴とする請求項１０に記載のプログラム。
【請求項１２】
前記第１プログラムは、テンプレートに画像を配置したレイアウト画像を表すレイアウトデータを生成するためのプログラムであることを特徴とする請求項１乃至１１のいずれか１項に記載のプログラム。
【請求項１３】
前記第２プログラムは、プリンタドライバであることを特徴とする請求項１乃至１２のいずれか１項に記載のプログラム。
【請求項１４】
前記レイアウトデータが、前記端末装置の外部の所定のサーバにアップロードされている場合、前記第１プログラムが前記第２インストール処理によって前記端末装置にインストールされていたとしても、前記所定の通知が実行されないことを特徴とする請求項１乃至１３のいずれか１項に記載のプログラム。
【請求項１５】
前記第１プログラムは、複数の前記レイアウト画像を含むアルバムを作成するためのアルバムデータを生成するプログラムであることを特徴とする請求項１４に記載のプログラム。
【請求項１６】
前記所定の通知は、前記第１プログラムに関する所定の通知領域を、表示部に表示する処理であることを特徴とする請求項１４又は１５に記載のプログラム。
【請求項１７】
前記所定の通知領域には、複数のメッセージのうちいずれかのメッセージが表示され、
前記所定の通知領域に対してユーザ操作が行われた場合、前記複数のメッセージのうち前記ユーザ操作が行われた前記所定の通知領域に含まれるメッセージに関する情報を、前記端末装置の外部のサーバに通知することを特徴とする請求項１に記載のプログラム。
【請求項１８】
前記所定の通知は、前記第１プログラムの利用をユーザに促すための通知と前記第１プログラムが前記端末装置にインストールされていることを前記ユーザに示すため通知のうち少なくとも一方を含むことを特徴とする請求項１に記載のプログラム。
【請求項１９】
第１プログラムをインストールし第２プログラムをインストールしない第１インストール処理を、ユーザから受け付けられた第１インストール指示に応じて実行し、前記第１プログラム及び前記第２プログラムをインストールする第２インストール処理を、前記ユーザから受け付けられた第２インストール指示に応じて実行する端末装置の制御方法であって、
前記第１プログラムが前記第１インストール処理によって前記端末装置にインストールされたか、記第１プログラムが前記第２ンストール処理によって前記端末装置にインストールされたかを特定する特定ステップと、
前記第１プログラムが前記第１インストール処理によって前記端末装置にインストールされたと特定されたことに基づき、前記第１プログラムに関する所定の通知を実行せず、前記第１プログラムが前記第２インストール処理によって前記端末装置にインストールされたと特定されたことに基づき、前記所定の通知を実行する通知ステップを有することを特徴とする制御方法。
【請求項２０】
第１プログラムをインストールし第２プログラムをインストールしない第１インストール処理を、ユーザから受け付けられた第１インストール指示に応じて実行し、前記第１プログラム及び前記第２プログラムをインストールする第２インストール処理を、前記ユーザから受け付けられた第２インストール指示に応じて実行する端末装置であって、
前記第１プログラムが前記第１インストール処理によって前記端末装置にインストールされたか、記第１プログラムが前記第２ンストール処理によって前記端末装置にインストールされたかを特定する特定手段と、
前記第１プログラムが前記第１インストール処理によって前記端末装置にインストールされたと特定されたことに基づき、前記第１プログラムに関する所定の通知を実行せず、前記第１プログラムが前記第２インストール処理によって前記端末装置にインストールされたと特定されたことに基づき、前記所定の通知を実行する通知手段を有することを特徴とする端末装置。
【手続補正２】
【補正対象書類名】明細書
【補正対象項目名】０００６
【補正方法】変更
【補正の内容】
【０００６】
上述の課題を解決するために本発明は、プログラムであって、第１プログラムをインストールし第２プログラムをインストールしない第１インストール処理を、ユーザから受け付けられた第１インストール指示に応じて実行し、前記第１プログラム及び前記第２プログラムをインストールする第２インストール処理を、前記ユーザから受け付けられた第２インストール指示に応じて実行する端末装置のコンピュータに、
前記第１プログラムが前記第１インストール処理によって前記端末装置にインストールされたか、記第１プログラムが前記第２ンストール処理によって前記端末装置にインストールされたかを特定する特定ステップと、
前記第１プログラムが前記第１インストール処理によって前記端末装置にインストールされたと特定されたことに基づき、前記第１プログラムに関する所定の通知を実行せず、前記第１プログラムが前記第２インストール処理によって前記端末装置にインストールされたと特定されたことに基づき、前記所定の通知を実行する通知ステップを実行させることを特徴とする。